(57)【要約】【課題】間仕切壁などを施工する際において、デッキプレートのリブや間仕切壁等に加工処理を施すことなく、容易な施工作業を実現する。【解決手段】デッキプレート（１００）であって、平坦形状を有するフランジ部（１１０）と、フランジ部（１１０）から突出して、該フランジ部（１１０）の長手方向に沿って設けられるリブ（１２０）とを有し、リブ（１２０）がフランジ部（１１０）によって着脱自在に保持されている。【選択図】図１
2020158986.tif 000002
【特許請求の範囲】
【請求項１】
平坦形状を有するフランジ部と、
前記フランジ部から突出して、該フランジ部の面方向に沿って設けられるリブと、を有し、
前記リブは、前記フランジ部によって着脱自在に保持されていることを特徴とするデッキプレート。
【請求項２】
前記リブは、
リブ本体と、
該リブ本体に接続され、該フランジ部によって保持される被係止部と、
を有することを特徴とする請求項１に記載のデッキプレート。
【請求項３】
前記フランジ部は、前記被係止部を、前記フランジ部の面方向又は該面方向と垂直の方向に移動自在に収容する収容部を有し、
前記被係止部は、前記収容部に収容された状態において、前記フランジ部によって着脱自在に保持されていることを特徴とする請求項２に記載のデッキプレート。
【請求項４】
平坦形状を有するフランジ部と、
前記フランジ部から突出して、該フランジ部の面方向に沿って設けられる第１のリブと、
前記フランジ部から突出して、該フランジ部の面方向に沿って設けられるとともに、前記第１のリブと該フランジ部の面方向において間隔をあけて設けられる第２のリブと、
前記第１のリブと前記第２のリブとの間において、前記第１のリブ及び前記第２のリブの少なくとも１つによって保持されている第３のリブと、
を有することを特徴とするデッキプレート。
【請求項５】
前記第１のリブと前記第２のリブとの少なくとも１つは、前記第３のリブを前記フランジ部の長手方向に移動自在に収容する筒部を有し、
前記第３のリブは、前記第１のリブと前記第２のリブとの少なくとも１つの筒部に収容された状態において、前記第１のリブと前記第２のリブとの少なくとも１つによって保持されていることを特徴とする請求項４に記載のデッキプレート。
【請求項６】
前記第３のリブは、前記第１のリブと前記第２のリブとのいずれか１つと、前記フランジ部の面方向と垂直な方向に沿った軸線を回転軸として回転自在に接続された状態において、前記第１のリブと前記第２のリブとの少なくとも１つによって保持されていることを特徴とする請求項４に記載のデッキプレート。
【請求項７】
前記第３のリブは、前記フランジ部に隣接する第１リブ部材と、該第１リブ部材と接続される第２リブ部材とを有し、
前記第３のリブは、
前記第２リブ部材が、前記第１リブ部材と、前記フランジ部の面方向に沿った軸線を回転軸として回転自在に接続され、且つ、
前記第１リブ部材が、前記第１のリブと前記第２のリブとのいずれか１つと、前記フランジ部の面方向と垂直な方向に沿った軸線を回転軸として回転自在に接続された状態において、
前記第１のリブと前記第２のリブとのいずれか１つによって保持されていることを特徴とする請求項４に記載のデッキプレート。
【発明の詳細な説明】
【技術分野】
【０００１】
本発明は、デッキプレートに関する。
【背景技術】
【０００２】
建築物の建設現場において、床や屋根等のコンクリート構造部の型枠として使用するフラット型のデッキプレートが知られている。フラット型のデッキプレートは、その上面が平坦に形成され、上面とは反対の背面（下面）に突出する断面略三角形のリブを備える。建築物の施工時にはデッキプレートの上面にコンクリートが打設され、デッキプレートは、リブが突出した状態で天井の一部として建築物に残される。このような施工が行われた後に、デッキプレートが天井の一部を構成する空間において、防火区画や間仕切壁の設置が必要とされる場合がある。
【０００３】
しかし、上記空間に間仕切壁が設置される場合には、天井部分においてデッキプレートのリブが突出しているため、間仕切壁とリブとが干渉し、そのままの状態では間仕切壁が取り付けられない場合がある。このため、現場の作業者は、リブの一部に切欠き加工を施すか、或いは、間仕切壁の一部に切欠き加工を施す必要があった（例えば、特許文献１参照）。
【先行技術文献】
【特許文献】
【０００４】
【特許文献１】特開２００１−２８８８３７号公報
【発明の概要】
【発明が解決しようとする課題】
【０００５】
しかし、デッキプレートのリブは通常鋼板によって形成されるため、リブの切欠き加工は、作業者にとって大きな負担となる課題があった。さらに、リブの切欠き加工が施された後は、作業者は、切り欠かれた端部に適宜サビ止め処理などを別途施す必要があった。一方、間仕切壁を切り欠く加工は、施工現場におけるデッキプレートの配置状況に応じて行われる必要があり、作業者にとって大きな負担となる課題があった。
【０００６】
そこで、本発明は、上記課題に鑑みてなされたものであり、デッキプレートのリブや間仕切壁等に加工処理を施すことなく、間仕切壁等の設置作業を容易に実現することができるデッキプレートを提供することを目的とする。
【課題を解決するための手段】
【０００７】
上記課題を解決するため、本発明に係る第１の態様は、デッキプレートであって、平坦形状を有するフランジ部と、前記フランジ部から突出して、該フランジ部の面方向に沿って設けられるリブとを有し、前記リブは、前記フランジ部によって着脱自在に保持されている。
【０００８】
また、前記リブは、リブ本体と、該リブ本体に接続され、該フランジ部によって保持される被係止部とを有することが好ましい。
【０００９】
また、前記フランジ部は、前記被係止部を、前記フランジ部の面方向又は該面方向と垂直の方向に移動自在に収容する収容部を有し、前記被係止部は、前記収容部に収容された状態において、前記フランジ部によって着脱自在に保持されていることが好ましい。
【００１０】
また、本発明に係る第２の態様は、デッキプレートであって、平坦形状を有するフランジ部と、前記フランジ部から突出して、該フランジ部の面方向に沿って設けられる第１のリブと、前記フランジ部から突出して、該フランジ部の面方向に沿って設けられるとともに、前記第１のリブと該フランジ部の面方向において間隔をあけて設けられる第２のリブと、前記第１のリブと前記第２のリブとの間において、前記第１のリブ及び前記第２のリブの少なくとも１つによって保持されている第３のリブとを有する。
【００１１】
また、前記第１のリブと前記第２のリブとの少なくとも１つは、前記第３のリブを前記フランジ部の長手方向に移動自在に収容する筒部を有し、前記第３のリブは、前記第１のリブと前記第２のリブとの少なくとも１つの筒部に収容された状態において、前記第１のリブと前記第２のリブとの少なくとも１つによって保持されていることが好ましい。
【００１２】
また、前記第３のリブは、前記第１のリブと前記第２のリブとのいずれか１つと、前記フランジ部の面方向と垂直な方向に沿った軸線を回転軸として回転自在に接続された状態において、前記第１のリブと前記第２のリブとの少なくとも１つによって保持されていることが好ましい。
【００１３】
また、前記第３のリブは、前記フランジ部に隣接する第１リブ部材と、該第１リブ部材と接続される第２リブ部材とを有し、前記第３のリブは、前記第２リブ部材が、前記第１リブ部材と、前記フランジ部の面方向に沿った軸線を回転軸として回転自在に接続され、且つ、前記第１リブ部材が、前記第１のリブと前記第２のリブとのいずれか１つと、前記フランジ部の面方向と垂直な方向に沿った軸線を回転軸として回転自在に接続された状態において、前記第１のリブと前記第２のリブとのいずれか１つによって保持されていることが好ましい。
【発明の効果】
【００１４】
本発明に係る態様によれば、フランジ部のリブ等の突起物が干渉することなく、間仕切壁等が容易に設置される。
【図面の簡単な説明】
【００１５】
【図１】第１の実施の形態に係るデッキプレートの斜視図である。
【図２】図１に示すデッキプレートを構成する、フランジ部及びリブの斜視図である。
【図３】図１に示すデッキプレートにおいて、（ａ）リブの被係止部がフランジ部の収容部に収容された状態を表す側面図であり、（ｂ）リブの被係止部がフランジ部の収容部から取り出された状態を表す側面図であり、（ｃ）リブが取り外されたフランジ部の平坦部の下面に間仕切壁が設置された状態を表す側面図である。
【図４】変形例に係るデッキプレートにおいて、（ａ）第２のリブがフランジ部に保持された状態を表す側面図であり、（ｂ）第２のリブがフランジ部から取り外された状態を表す側面図である。
【図５】変形例に係るデッキプレートにおいて、（ａ）リブがフランジ部に保持された状態を表す正面図であり、（ｂ）リブがフランジ部から取り外された状態を表す正面図である。
【図６】第２の実施の形態に係るデッキプレートの斜視図である。
【図７】図６に示すデッキプレートにおいて、（ａ）第３のリブが、第１のリブの筒部と第２のリブの筒部に収容された状態を表す側面図であり、（ｂ）第３のリブが、第２のリブ側へ移動した状態を表す側面図であり、（ｃ）第３のリブの全体が、第２のリブの筒部に収容された状態を表す側面図である。
【図８】第３の実施の形態に係るデッキプレートの斜視図である。
【図９】図８に示すデッキプレートにおいて、（ａ）第３のリブが、通常状態において、第１のリブと第２のリブとの間に配置された状態を表す斜視図であり、（ｂ）第３のリブの第２リブ部材が第１リブ部材側へと折りたたまれた状態を表す斜視図であり、（ｃ）第１リブ部材及び第２リブ部材が第１のリブの基端部側へ折りたたまれた状態を表す斜視図である。
【図１０】変形例に係るデッキプレートにおいて、（ａ）第３のリブが、通常状態において、第１のリブと第２のリブとの間に配置された状態を表す斜視図であり、（ｂ）第１リブ部材及び第２リブ部材が第１のリブの基端部側へ折りたたまれた状態を表す斜視図である。
【発明を実施するための形態】
【００１６】
本発明の好ましい実施の形態について、図面を参照しながら説明する。なお、以下に示す実施の形態は一つの例示であり、本発明の範囲において、種々の形態をとり得る。
【００１７】
〔第１の実施の形態〕
＜デッキプレートの構成＞
図１〜図３を用いて、第１の実施の形態に係るデッキプレートの構成について説明する。図１に示すように、デッキプレート１００は、フランジ部１１０と、リブ１２０とを有する。
【００１８】
（フランジ部）
図２に示すように、フランジ部１１０は、平坦部１１１と、収容部１１２とを有する。
平坦部１１１は、上面が平坦形状を有し、例えば、薄鋼板により形成されている。
収容部１１２は、平坦部１１１の下面（上面とは反対側の背面）において、フランジ部１１０の長手方向Ｌに沿って間隔をあけて複数形成されている。収容部１１２は、後述するリブ１２０の被係止部１２２を収容する。収容部１１２は、平坦部１１１の下面から略垂直に立設される一対の側壁部１１２ａと、側壁部１１２ａの先端部から平坦部１１１と略平行に内側に向けて延びる一対の載置部１１２ｂとを有する。フランジ部１１０の長手方向Ｌにおける、収容部１１２の両端部は解放されている。これにより、収容部１１２は、後述するリブ１２０の被係止部１２２を、フランジ部１１０の長手方向Ｌに沿って移動自在に収容する。一対の載置部１１２ｂの先端同士は、当該先端間に後述するリブ１２０のリブ本体１２１における基端部１２１ａの挿通を許容するために、一定の間隔をあけて配置されている。
【００１９】
（リブ）
図２に示すように、リブ１２０は、リブ本体１２１と、被係止部１２２とを有する。
リブ本体１２１は、フランジ部１１０の平坦部１１１に対して略垂直に伸びる基端部１２１ａと、基端部１２１ａの先端側に接続される断面が略三角形の筒部１２１ｂとを有する。
被係止部１２２は、平板矩形状を有し、その面が基端部１２１ａに対して略垂直に形成されている。被係止部１２２は、フランジ部１１０（平坦部１１１）に対して略平行な姿勢で収容部１１２に収容された状態で、フランジ部１１０によって保持される。被係止部１２２は、フランジ部１１０の長手方向Ｌに沿って間隔をあけて複数形成されている。フランジ部１１０の長手方向Ｌにおける複数の被係止部１２２間の距離は、同長手方向Ｌにおける複数の収容部１１２間の距離に対応する。すなわち、特定の位置において、複数の被係止部１２２がすべて収容部１１２に収容されるように、被係止部１２２は配置されている。被係止部１２２の幅（フランジ部１１０の長手方向Ｌと垂直の方向における長さ）は、収容部１１２を構成する側壁部１１２ａの内面間の距離と略同等又は小さく設定されている。また、被係止部１２２の幅は、収容部１１２を構成する載置部１１２ｂの先端部間の距離よりも大きく設定されている。また、被係止部１２２の長さ（フランジ部１１０の長手方向Ｌにおける長さ）は、フランジ部１１０の複数の収容部１１２間の距離（隣接する収容部１１２の対向する端縁間の距離）よりも小さく設定されている。また、被係止部１２２の厚さは、収容部１１２の側壁部１１２ａの高さ（平坦部１１１の下面と載置部１１２ｂの上面との距離）よりも小さく設定されている。
なお、被係止部１２２は、別途連結具（ビスねじ等）を用いて固定されることにより、収容部１１２に収容されてもよい。
【００２０】
＜間仕切壁を設置する施工方法＞
図３を用いて、デッキプレート１００のリブ１２０を取り外して、間仕切壁を設置する施工方法について説明する。
デッキプレート１００の上方にコンクリート（図示しない）が打設された状態において、リブ１２０はフランジ部１１０によって保持されている。具体的には、図３（ａ）に示すように、被係止部１２２が収容部１１２に収容された状態でフランジ部１１０によって保持されている。この状態において、被係止部１２２は、収容部１１２に、フランジ部１１０の長手方向Ｌに移動自在に収容されている。
図３（ｂ）に示すように、リブ１２０がフランジ部１１０の長手方向Ｌに沿って動かされることにより、被係止部１２２が収容部１１２の外側へ取り出される。これにより、リブ１２０がフランジ部１１０から取り外される。なお、リブ１２０がフランジ部１１０の長手方向Ｌに沿って動かされる際に、リブ１２０が図示しない壁等と衝突しないように、リブ１２０と壁等との位置関係が予め設定されている。
リブ１２０がフランジ部１１０から取り外されると、フランジ部１１０の長手方向Ｌにおける中央部分において、フランジ部１１０の平坦部１１１の下面が露出する。平坦部１１１の下面が露出した部分には、収容部１１２等の突出物が形成されていない。
図３（ｃ）に示すように、この状態において、平坦部１１１の下面を天井部とする間仕切壁Ｗが設置される。
【００２１】
以上のように、本実施の形態に係るデッキプレート１００は、フランジ部１１０と、フランジ部１１０によって着脱自在に保持されるリブ１２０とを有する。この構成によれば、リブ１２０がフランジ部１１０から取り外されることによって、突出部がない平坦部１１１の下面が露出する。これにより、作業者は、当該部分において間仕切壁等を容易に設置することができる。
【００２２】
［第１の実施の形態の変形例］
なお、上記実施の形態に係る態様は、上記構成に限られず、他の構成が適用されてもよい。
例えば、図４に示すように、デッキプレート１００ａは、フランジ部１１０と、当該フランジ部１１０と一体に形成される第１のリブ１２０Ａと、フランジ部１１０によって着脱自在に保持される第２のリブ１２０Ｂとを有してもよい。図４（ａ）に示すように、第２のリブ１２０Ｂの被係止部１２２は、フランジ部１１０の収容部１１２に、フランジ部１１０の長手方向Ｌに沿って移動自在に収容されている。図４（ｂ）に示すように、第２のリブ１２０Ｂがフランジ部１１０の長手方向Ｌに沿って動かされることにより、被係止部１２２が収容部１１２の外側へ取り出される。これにより、第２のリブ１２０Ｂがフランジ部１１０から取り外される。フランジ部１１０から第２のリブ１２０Ｂが取り外されると、フランジ部１１０の平坦部１１１の下面が露出する。この状態において、平坦部１１１の下面を天井部とする間仕切壁（図示しない）が設置される。
また、例えば、図５（ａ）に示すように、デッキプレート１００ｂは、フランジ部１１０と、フランジ部１１０によって着脱自在に保持されるリブ１２０とを有してもよい。この構成では、被係止部１２２が収容される収容部１１２を変形（弾性変形でも塑性変形でもよい）させることによって、リブ１２０がフランジ部１１０から取り外される。具体的には、例えば、図５（ｂ）に示すように、収容部１１２の載置部１１２ｂが下方へと屈曲されることによって、収容部１１２の下方が開放される。これにより、リブ１２０がフランジ部１１０から取り外される。フランジ部１１０からリブ１２０が取り外されると、フランジ部１１０の平坦部１１１の下面が露出する。この状態において、平坦部１１１の下面を天井部とする間仕切壁（図示しない）が設置される。
なお、本変形例においては、図１のように、間隔をあけて被係止部１２２及び収容部１１２を形成する必要はなく、長手方向Ｌに連続した構成を採用することもできる。
【００２３】
［第２の実施の形態］
＜デッキプレートの構成＞
図６及び図７を用いて、第２の実施の形態に係るデッキプレートの構成について説明する。図６に示すように、デッキプレート２００は、フランジ部２１０と、第１のリブ２２０と、第２のリブ２３０と、第３のリブ２４０とを有する。
フランジ２１０は、上面が平坦形状の平坦部２１１を有する。
第１のリブ２２０は、平坦部２１１の下面（上面と反対側の背面）から略垂直に延びる基端部２２１と、基端部２２１の先端側に接続される断面が略三角形の筒部２２２とを有する。筒部２２２は、後述する第３のリブ２４０の本体２４１をフランジ部２１０の長手方向Ｌに沿って移動自在に収容する。筒部２２２は、その底面（三角形の底辺側の面）において、後述する連結具（ビスねじ等２５０）が挿通される挿通孔２２２ａを有する。
第２のリブ２３０は、フランジ部２１０の長手方向Ｌにおいて、第１のリブ２２０と間隔をあけて形成される。第２のリブ２３０は、平坦部２１１の下面から略垂直に延びる基端部２３１と、基端部２３１の先端側に接続される断面が略三角形の筒部２３２とを有する。筒部２３２は、後述する第３のリブ２４０の本体２４１をフランジ部２１０の長手方向Ｌに沿って移動自在に収容する。筒部２３２は、その底面（三角形の底辺側の面）において、後述する連結具（ビスねじ等２５０）が挿通される挿通孔２３２ａを有する。
第３のリブ２４０について、以下で詳細に説明する。
【００２４】
（第３のリブ）
第３のリブ２４０は、フランジ部２１０の長手方向Ｌにおいて、第１のリブ２２０と第２のリブ２３０との間に設置されている。第３のリブ２４０は、断面が略三角形の筒状の本体２４１を有する。
本体２４１の外形は、第１のリブ２２０の筒部２２２及び第２のリブ２３０の筒部２３２の内面形状と相似形状を有する。本体２４１の外側寸法（三角形の各辺の長さ）は、第１のリブ２２０の筒部２２２及び第２のリブ２３０の筒部２３２の内壁面によって形成される内側寸法（三角形の各辺の長さ）と略同じ又はこれよりも小さく設定されている。本体２４１は、その底面（三角形の底辺側の面）の両端部において、後述する連結具（ビスねじ等２５０）が挿通される挿通孔２４１ａ、２４１ｂを有する。
第３のリブ２４０は、第１のリブ２２０及び第２のリブ２３０によって、本体２４１の両端部が第１のリブ２２０の筒部２２２及び第２のリブ２３０の筒部２３２に収容された状態において保持されている。具体的には、本体２４１の一端部の挿通孔２４１ａが第１のリブ２２０の筒部２２２の挿通孔２２２ａと同軸状に連通するように、本体２４１の一端部は第１のリブ２２０の筒部２２２に収容されている。また、本体２４１の他端部の挿通孔２４１ｂが第２のリブ２３０の筒部２３２の挿通孔２３２ａと同軸状に連通するように、本体２４１の他端部は第２のリブ２３０の筒部２３２に収容されている。本実施の形態では、互いに連通する挿通孔２２２ａ、２４１ａと挿通孔２３２ａ、２４１ｂに対して連結具を構成するビスねじ等２５０が取り付けられる。このようにして、第３のリブ２４０は、第１のリブ２２０及び第２のリブ２３０によって保持されている。なお、本実施の形態においては、第３のリブ２４０が連結具（ビスねじ等２５０等）を介して、第１のリブ２２０及び第２のリブ２３０によって保持される例について説明するがこれに限られない。第３のリブ２４０は、連結具を用いることなく、第１のリブ２２０及び第２のリブ２３０によって保持される構成であってもよい。
【００２５】
＜間仕切壁を設置する施工方法＞
図７を用いて、デッキプレート２００の第１のリブ２２０と第２のリブ２３０との間に間仕切壁を設置する施工方法について説明する。
デッキプレート２００の上方にコンクリート（図示しない）が打設された状態において、第３のリブ２４０は第１のリブ２２０及び第２のリブ２３０によって保持されている。また、図７（ａ）に示すように、第３のリブ２４０の本体２４１の一端部は、本体２４１の一端部に形成される挿通孔２４１ａと第１のリブ２２０の筒部２２２に形成される挿通孔２２２ａに連結具であるビスねじ等２５０が挿通された状態において、第１のリブ２２０に保持されている。一方、第３のリブ２４０の本体２４１の他端部は、本体２４１の他端部に形成される挿通孔２４１ｂと第２のリブ２３０の筒部２３２に形成される挿通孔２３２ａに連結具であるビスねじ等２５０が挿通された状態において、第２のリブ２３０に保持されている。
まず、第１のリブ２２０の筒部２２２の挿通孔２２２ａ及び本体２４１の挿通孔２４１ａに挿通される連結具（ビスねじ等）２５０と、第２のリブ２３０の筒部２３２の挿通孔２３２ａ及び本体２４１の挿通孔２４１ｂに挿通される連結具（ビスねじ等）２５０が取り外される。この状態において、第３のリブ２４０の本体２４１は、各筒部２２２、２３２に、フランジ部２１０の長手方向Ｌに沿って移動自在に収容されている。
次に、図７（ｂ）に示すように、本体２４１がフランジ部２１０の長手方向Ｌに沿って第２のリブ２３０の筒部２３２側へ動かされることにより、本体２４１の一端部が第１のリブ２２０の筒部２２２の外側へと取り出される。さらに、本体２４１がフランジ部２１０の長手方向Ｌに沿って第２のリブ２３０の筒部２３２側へ動かされることにより、本体２４１の全体が第２のリブ２３０の筒部２３２に収容される。その結果、第１のリブ２２０と第２のリブ２３０との間の平坦部２１１の下面が露出する。この状態において、平坦部２１１の下面を天井部とする間仕切壁（図示しない）が設置される。
【００２６】
以上のように、第２の実施の形態に係るデッキプレート２００は、第１のリブ２２０と第２のリブ２３０との間に移動自在に保持される第３のリブ２４０を有する。この構成によれば、第３のリブ２４０の本体２４１が、第２のリブ２３０の筒部２３２にすべて収容されることにより、突出部がない平坦部２１１の下面が露出する。これにより、作業者は、当該部分において間仕切壁等を容易に設置することができる。
【００２７】
なお、上記実施の形態では、本体２４１の全体が第２のリブ２３０の筒部２３２にすべて収容された状態において、平坦部２１１の下面が露出する例について説明したがこれに限られない。本体２４１が第１のリブ２２０の筒部２２２にすべて収容された状態において、平坦部２１１の下面が露出する構成に適用されてもよい。また、本体２４１の一部が、第１のリブ２２０の筒部２２２または第２のリブ２３０の筒部２３２に収容された状態において、平坦部２１１の下面が露出する構成に適用されてもよい。
また、本実施の形態に係る態様は、例えば、本体２４１がフランジ部２１０の長手方向Ｌにおいて分割された形状を有する構成に適用されてもよい。この場合には、分割された一方の本体２４１が第１のリブ２２０の筒部２２２に収容され、分割された他方の本体２４１が第２のリブ２３０の筒部２３２に収容される。このように、分割された本体２４１のそれぞれが各筒部２２２、２３２に収容されることにより、平坦部２１１の下面が露出する。
また、第３のリブ２４０を第２のリブ２３０に収容することなく、第１のリブ２２０又は第２のリブ２３０の端部から取り出してもよい。
【００２８】
〔第３の実施の形態〕
＜デッキプレートの構成＞
図８及び図９を用いて、第３の実施の形態に係るデッキプレートの構成について説明する。図８に示すように、デッキプレート３００は、フランジ部３１０と、第１のリブ３２０と、第２のリブ３３０と、第３のリブ３４０とを有する。
フランジ３１０は、上面が平坦形状の平坦部３１１を有する。
第１のリブ３２０は、平坦部３１１の下面（上面とは反対側の背面）から略垂直に延びる基端部３２１と、基端部３２１の先端側に接続される断面が略三角形の筒部３２２とを有する。
第２のリブ３３０は、フランジ部３１０の長手方向Ｌにおいて、第１のリブ３２０と間隔をあけて形成される。第２のリブ３３０は、平坦部３１１の下面から略垂直に延びる基端部３３１と、基端部３３１の先端側に接続される断面が略三角形の筒部３３２とを有する。
第３のリブ３４０について、以下で詳細に説明する。
【００２９】
（第３のリブ）
図８に示すように、第３のリブ３４０は、フランジ部３１０の長手方向Ｌにおいて、第１のリブ３２０と第２のリブ３３０との間に設置されている。
第３のリブ３４０は、第１リブ部材３４１と、第１リブ部材３４１の先端側に接続される断面が略三角形の第２リブ部材３４２とを有している。
第１リブ部材３４１は、第１のリブ３２０の基端部３２１及び第２のリブ３３０の基端部３３１と略同等の形状を有している。第１リブ部材３４１は、第１のリブ３２０の基端部３２１と、第１連結部材３４３によって接続されている。第１連結部材３４３は、第１リブ部材３４１において後述する第２連結部材３４４が取り付けられる面と反対側の面に取り付けられている。第１連結部材３４３は、例えば、蝶番で構成されており、フランジ部３１０の長手方向Ｌと略垂直な方向に沿った軸線の回転軸Ｙを有している。すなわち、第１リブ部材３４１は、第１のリブ３２０の基端部３２１に対して、第１連結部材３４３の回転軸Ｙを中心に回転自在に接続されている。
第２リブ部材３４２は、第１のリブ３２０の筒部３２２及び第２のリブ３３０の筒部３３２と略同等の形状（断面が略三角形）を有している。第２リブ部材３４２は、第１リブ部材３４１と、第２連結部材３４４によって接続されている。第２連結部材３４４は、第１リブ部材３４１において第１連結部材３４３が取り付けられる面と反対側の面に取り付けられている。第２連結部材３４４は、例えば、蝶番で構成されており、フランジ部３１０の長手方向Ｌと略平行な方向に沿った軸線の回転軸Ｘを有している。すなわち、第２リブ部材３４２は、第１リブ部材３４１に対して、第２連結部材３４４の回転軸Ｘを中心に回転自在に接続されている。
【００３０】
＜間仕切壁を設置する施工方法＞
図９を用いて、デッキプレート３００の第１のリブ３２０と第２のリブ３３０との間に間仕切壁を設置する施工方法について説明する。
図９（ａ）に示すように、まず、第３のリブ３４０の第２リブ部材３４２を第２連結部材３４４の回転軸Ｘを中心に回転（第１のリブ３２０から第２のリブ３３０に向けた視点における回転軸Ｘを中心に反時計回りに回転）させることによって、第２リブ部材３４２が第１リブ部材３４１側へと折りたたまれる。
次に、図９（ｂ）に示すように、第１リブ部材３４１が、第１連結部材３４３の回転軸Ｙを中心に回転（フランジ部３１０からリブ３２０に向けた視点における回転軸Ｙを中心に反時計回りに回転）させることによって、図９（ｃ）に示すように、第１リブ部材３４１と第２リブ部材３４２が第１のリブ３２０の基端部３２１側へと折りたたまれる。
その結果、第１のリブ３２０と第２のリブ３３０との間の平坦部３１１の下面が露出する。この状態において、平坦部３１１の下面を天井部とする間仕切壁（図示しない）が設置される。
【００３１】
上記実施の形態では、第１連結部材３４３が、第１リブ部材３４１において第２連結部材３４４が取り付けられる面と反対側の面に取り付けられる例を示したがこれに限られない。例えば、図１０（ａ）に示すように、第１連結部材３４３が、第１リブ部材３４１において第２連結部材３４４が取り付けられる面と同一面に取り付けられる構成としてもよい。この構成においては、上記実施の形態と同様に、第２リブ部材３４２が第１リブ部材３４１側へ折りたたまれる。この状態において、第１リブ部材３４１が、第１連結部材３４３の回転軸Ｙを中心に回転（フランジ部３１０からリブ３２０に向けた視点における回転軸Ｙを中心に時計回りに回転）させる。これにより、図１０（ｂ）に示すように、第１リブ部材３４１と第２リブ部材３４２が、第１のリブ３２０の基端部３２１に対して略垂直の姿勢で折りたたまれる。
【００３２】
以上のように、第３の実施の形態に係るデッキプレート３００は、第１のリブ３２０と第２のリブ３３０との間に、第１のリブ３２０と回転自在に接続される第３のリブ３４０を有する。さらに、第３のリブ３４０は、第１リブ部材３４１と、第１リブ部材３４１と回転自在に接続される第２リブ部材３４２とを有する。このような構成とすることにより、第３のリブ３４０が第１のリブ３２０側へ折りたたまれる。これにより、通常状態（第３のリブ３４０が折りたたまれていない状態）において第３のリブ３４０が設置されている部分において、突出部がない平坦部３１１の下面が露出する。その結果、当該部分において間仕切壁等を容易に設置することができる。
【００３３】
なお、上記実施の形態においては、第１リブ部材３４１及び第２リブ部材３４２が第１のリブ３２０の基端部３２１側へと折りたたまれる例について説明したがこれに限られない。本実施の形態に係る態様は、第１リブ部材３４１及び第２リブ部材３４２が第２のリブ３３０の基端部３３１側へと折りたたまれる構成に適用されてもよい。この場合には、第１リブ部材３４１が、第２のリブ３３０の基端部３３１と、第１連結部材３４３によって接続される。
また、上記実施の形態においては、第２リブ部材３４２が第１リブ部材３４１側に折りたたまれた状態において、第１リブ部材３４１が第１のリブ３２０の基端部３２１側へと折りたたまれる例について説明したがこれに限られない。例えば、第３のリブ３４０が、第１のリブ３２０と第２のリブ３３０とのいずれか１つと、フランジ部３１０の長手方向と垂直な方向に沿った軸線を回転軸として回転自在に接続される構成において、当該回転軸を中心に第３のリブ３４０全体を第１のリブ３２０側又は第２のリブ３３０側へ回転させる態様に適用されてもよい。
【符号の説明】
【００３４】
１００  デッキプレート（第１の実施の形態）
１１０  フランジ部
１１１  平坦部
１２０  リブ
１２１  リブ本体
１２２  被係止部
２００  デッキプレート（第２の実施の形態）
２１０  フランジ部
２１１  平坦部
２２０  第１のリブ
２２１  基端部
２２２  筒部
２３０  第２のリブ
２３１  基端部
２３２  筒部
２４０  第３のリブ
２４１  本体
３００  デッキプレート（第３の実施の形態）
３１０  フランジ部
３１１  平坦部
３２０  第１のリブ
３２１  基端部
３２２  筒部
３３０  第２のリブ
３３１  基端部
３３２  筒部
３４０  第３のリブ
３４１  第１リブ部材
３４２  第２リブ部材
３４３  第１連結部材
３４４  第２連結部材
【図１】
2020158986.tif 000003
【図２】
2020158986.tif 000004
【図３】
2020158986.tif 000005
【図４】
2020158986.tif 000006
【図５】
2020158986.tif 000007
【図６】
2020158986.tif 000008
【図７】
2020158986.tif 000009
【図８】
2020158986.tif 000010
【図９】
2020158986.tif 000011
【図１０】
2020158986.tif 000012